(57)【要約】      （修正有）【課題】コイルと外部端子間の断線を防止できる面実装インダクタを提供する。【解決手段】巻線を巻回して形成したコイル１１と、磁性粉末を含有し、内部にコイルを内蔵するコア１２を備える。コイルは、導線を磁性体で被覆した磁性線を巻回して形成される。【効果】巻線同士が接近しても近接効果を防止できる。また、高い周波数におけるインダクタンス値の劣化を防止できると共に、コアの形状を小さくして面実装インダクタの大きさを小さくすることができる。【選択図】図１
2014157905.tif 000002
【特許請求の範囲】
【請求項１】
巻線を巻回して形成したコイルと、磁性粉末を含有し、内部に該コイルを内蔵するコアを備えた面実装インダクタにおいて、
該コイルは導線を磁性体で被覆した磁性線を巻回して形成されたことを特徴とする面実装インダクタ。
【請求項２】
前記磁性線が絶縁樹脂被膜で被覆された請求項１に記載の面実装インダクタ。
【請求項３】
前記コアは主として磁性粉末と樹脂とからなる請求項１又は請求項２に記載の面実装インダクタ。
【請求項４】
前記コアは磁性粉を圧縮して形成される請求項１又は請求項２に記載の面実装インダクタ。
【請求項５】
前記コアは磁性粉を圧粉して形成される請求項１又は請求項２に記載の面実装インダクタ。
【請求項６】
前記磁性粉が金属磁性粉である請求項１、請求項３、請求項４、請求項５のいずれかに記載の面実装インダクタ。
【発明の詳細な説明】
【技術分野】
【０００１】
本発明は、巻線を巻回して形成したコイルと、磁性粉末を含有し、内部にコイルを内蔵するコアを備えた面実装インダクタに関するものである。
【背景技術】
【０００２】
従来の面実装インダクタに、図４に示す様に、巻線を巻回してコイル４１を形成し、このコイル４１を内部に備える様に、磁性粉末を圧粉成型して又は、磁性粉末と樹脂の複合材料を圧縮成型してコア４２を形成したものがある。このコア４２の表面には外部端子４３が形成され、外部端子４３間にコイル４１が接続される。
【先行技術文献】
【特許文献】
【０００３】
【特許文献１】特開2010-245473号公報
【発明の概要】
【発明が解決しようとする課題】
【０００４】
従来の面実装インダクタは、導線に絶縁皮膜を施した巻線を巻回してコイルを形成しているため、巻線の両端部の絶縁皮膜を剥離してコイルを外部端子に接続している。そのため、従来の面実装インダクタは、巻線の両端部に露出している導線が酸化し、コイルの特性が劣化したり、コイルと外部端子間で断線したりするという問題があった。
【０００５】
本発明は、コイルの特性の劣化や、コイルと外部端子間の断線を防止できる面実装インダクタを提供することを目的とする。
【課題を解決するための手段】
【０００６】
本発明は、巻線を巻回して形成したコイルと、磁性粉末を含有し、内部にコイルを内蔵するコアを備えた面実装インダクタにおいて、コイルは導線を磁性体で被覆した磁性線を巻回して形成する。
【発明の効果】
【０００７】
本発明は、巻線を巻回して形成したコイルと、磁性粉末を含有し、内部にコイルを内蔵するコアを備えた面実装インダクタにおいて、コイルは導線を磁性体で被覆した磁性線を巻回して形成するので、コイルの特性の劣化や、コイルと外部端子間の断線を防止することができる。
【図面の簡単な説明】
【０００８】
【図１】本発明の面実装インダクタの第１の実施例を示す透過斜視図である。
【図２】本発明の面実装インダクタに用いられる巻線の断面図である。
【図３】本発明の面実装インダクタの第２の実施例を示す透過斜視図である。
【図４】従来の面実装インダクタの透過斜視図である。
【発明を実施するための形態】
【０００９】
本発明の面実装インダクタは、巻線を巻回して形成したコイルと、磁性粉末を含有し、内部にコイルを内蔵するコアを備える。コイルは、導線をメッキにより形成した磁性体膜で被覆した磁性線に絶縁皮膜を施して巻線とし、この巻線を巻回することにより形成される。
従って、本発明の面実装インダクタは、導線が磁性体で覆われているので、外部端子に接続する際に絶縁皮膜を剥離しても導線が大気に晒されることがない。また、本発明の面実装インダクタは、巻線の外周に磁性体を有しているので、巻線同士が接近してもこの磁性体により近接効果を防止できる。
また、本発明の面実装インダクタは、導線が磁性体で覆われているので、導線を被覆している磁性体とコアの材質を調整することにより高い周波数におけるインダクタンス値の劣化を防止できると共に、コイルとコアの表面が近接したり、コイルの表面がコアの表面に露出したりした場合でも、インダクタンス値の低下を防止でき、その分コアの形状を小さくして面実装インダクタの大きさを小さくすることができる。
【実施例】
【００１０】
以下、本発明の面実装インダクタの実施例を図１乃至図３を参照して説明する。
図１は本発明の面実装の第１の実施例を示す斜視図である。
図１において、１１はコイル、１２はコアである。
コイル１１は、その両端部１１Ａ、１１Ｂがそれぞれコイルの外周に位置する様に、２段に巻線を巻回して形成される。巻線は、図２に示す様に、導電性を有する導線Ａの表面に、磁性体膜Ｂを形成し、さらに、絶縁被覆Ｃを施したものが用いられる。導線Ａは、平角状に形成された銅製のものが用いられる。磁性体膜Ｂは、Ｎｉ等の導電性を有する磁性体が用いられる。また、磁性体膜Ｂは、導線に導電性を有する磁性体をメッキすることにより形成される。絶縁被覆Ｃは、エポキシ樹脂等の絶縁性を有する樹脂を用いて形成される。
コア１２は、磁性粉末と樹脂の複合材料を用いてコイル１１を内蔵し、コイル１１の引き出し端部１１Ａと引き出し端部１１Ｂが、それぞれ対向する端面に露出する様に形成される。磁性粉末は金属磁性粉末が用いられる。また、樹脂はエポキシ樹脂が用いられる。このコア１２は、磁性粉末と樹脂の複合材料を圧縮成型して形成される。また、このコア１２の表面には、外部電極１３Ａと外部電極１３Ｂが形成される。
そして、コイル１１の引き出し端部１１Ａが外部電極１３Ａに接続され、コイル１１の引き出し端部１１Ｂが外部電極１３Ｂに接続されることにより、コイル１１が外部電極１３Ａと外部電極１３Ｂ間に接続される。
【００１１】
この様な面実装インダクタは、１ＭＨｚにおけるＱ値、３ＭＨｚにおけるＱ値、６ＭＨｚにおけるＱ値がそれぞれ３２、２４、１６となり、従来のものよりもＱ値を向上させることができた。
【００１２】
図３は本発明の面実装インダクタの第２の実施例を示す透過斜視図である。
コイル３１は、その両端部３１Ａ、３１Ｂがそれぞれコイルの外周に位置する様に、２段に巻線を巻回して形成される。巻線は、銅等の導電性を有する導線Ａの表面に、Ｎｉ等の導電性を有する磁性体膜Ｂをメッキにより形成し、さらに、樹脂等で絶縁被覆Ｃを施したものが用いられる。
コア３２は、磁性粉末と樹脂の複合材料を用いてコイル３１を内蔵し、コイル３１の引き出し端部３１Ａと引き出し端部３１Ｂが、同じ側面に露出する様に形成される。磁性粉末は金属磁性粉末が用いられる。また、樹脂はエポキシ樹脂が用いられる。このコア３２は、磁性粉末と樹脂の複合材料を圧縮成型して形成される。また、このコア３２の表面には、外部電極３３Ａと外部電極３３Ｂが形成される。
そして、コイル３１の引き出し端部３１Ａが外部電極３３Ａに接続され、コイル３１の引き出し端部３１Ｂが外部電極３３Ｂに接続されることにより、コイル３１が外部電極３３Ａと外部電極３３Ｂ間に接続される。
【００１３】
以上、本発明の面実装インダクタの実施例を述べたが、本発明はこの実施例に限られるものではない。例えば、実施例では、導線をメッキにより形成した磁性体膜で被覆した磁性線に絶縁皮膜を施して巻線とし、この巻線を巻回することによりコイルが形成されたものを示したが、導線をメッキにより形成した磁性体膜で被覆した磁性線を巻線とし、この巻線を巻回することによりコイルが形成されても良い。また、導線は、平角状に形成されたものを示したが、円形状等様々な形状のものを用いることができ、その材質も様々なものを用いることができる。さらに、コイルはその両端が外周に位置する様に２段に巻線を巻回して形成したものを示したが、これに限らず、例えばエッジワイズ巻きなどの巻回方法で形成したり、円形や矩形、台形などの形状に形成したりしてもよい。また、コアは、磁性粉末と樹脂の複合材料を圧縮成型して形成したものを示したが、磁性粉末を圧縮成型又は圧粉成型して形成しても良い。
【符号の説明】
【００１４】
１１  コイル
１２  コア
【図１】
2014157905.tif 000003
【図２】
2014157905.tif 000004
【図３】
2014157905.tif 000005
【図４】
2014157905.tif 000006